(57)【要約】移動通信デバイス（１１６）の端末プロファイルを維持するための方法および装置。システムは、移動通信デバイス（１１６）とワイヤレスデータ経路を確立し、ワイヤレスデータ経路を介して移動通信デバイス（１１６）に端末プロファイル修正命令を送信し、移動通信デバイス（１１６）からワイヤレスデータ経路を介して肯定応答を受信するように動作可能である、第１のネットワークノード（１０６）を備える。端末プロファイルは、許可された命令を識別して転送するために、係属中の命令を端末プロファイルと比較するように動作可能である、加入者識別モジュール（３４２）に伝達される。
2011503935.tif 000002
【特許請求の範囲】
【請求項１】
移動通信デバイス（１１６）の端末プロファイルを維持する方法であって、
ネットワークノード（１０６）からワイヤレスデータ経路を介して、端末プロファイル修正命令を受信するステップと、
該ネットワークノード（１０６）から該ワイヤレスデータ経路を介して受信される該端末プロファイル修正命令に従って、該移動通信デバイス（１１６）内で端末プロファイルを修正するステップと、
該端末プロファイルを加入者識別モジュール（３４２）に伝達するステップと
を含む、方法。
【請求項２】
前記係属中の命令は、前記ワイヤレスデータ経路を介して受信される、請求項１に記載の方法。
【請求項３】
前記端末プロファイルは、ブラウザの立ち上げ、呼制御、ショートメッセージシステム（ＳＭＳ）制御、呼設定、付加サービス、ＳＭＳメッセージング、および位置情報の転送のうちの少なくとも１つに関する、請求項１に記載の方法。
【請求項４】
前記ワイヤレスデータ経路は、メッセージ中継部（１１０）を通過する、請求項１に記載の方法。
【請求項５】
前記ワイヤレスデータ経路は、ワイヤレスゲートウェイ（１１２）を通過する、請求項１に記載の方法。
【請求項６】
前記ワイヤレスデータ経路は、仮想プライベートネットワークである、請求項１に記載の方法。
【請求項７】
前記係属中の命令を実行するステップをさらに含む、請求項１に記載の方法。
【請求項８】
移動通信デバイス（１１６）であって、
ネットワークノード（１０６）からワイヤレスデータ経路を介して、端末プロファイル修正命令を受信する手段と、
該ネットワークノード（１０６）から該ワイヤレスデータ経路を介して受信される該端末プロファイル修正命令に従って、該移動通信デバイス（１１６）内で端末プロファイルを修正する手段と、
該端末プロファイルを加入者識別モジュール（ＳＩＭ）および着脱交換可能ユーザ識別モジュール（ＲＵＩＭ）（３４２）のうちの１つ以上に伝達する手段と
を備える、デバイス。
【請求項９】
前記端末プロファイルは、前記加入者識別モジュール（ＳＩＭ）または着脱交換可能ユーザ識別モジュール（ＲＵＩＭ）（３４２）内に記憶される、請求項８に記載のデバイス。
【請求項１０】
前記ワイヤレスデータ経路は、安全なデータ経路である、請求項８に記載のデバイス。
【請求項１１】
前記ワイヤレスデータ経路は、メッセージ中継部（１１０）を通過する、請求項８に記載のデバイス。
【請求項１２】
前記ワイヤレスデータ経路は、ワイヤレスゲートウェイ（１１２）を通過する、請求項８に記載のデバイス。
【請求項１３】
第１のワイヤレスデータ経路は、仮想プライベートネットワークである、請求項８に記載のデバイス。
【請求項１４】
前記移動通信デバイス（１１６）は、前記係属中の命令を実行するように動作可能である、請求項８に記載のデバイス。
【発明の詳細な説明】
【技術分野】
【０００１】
本開示は、概して、ワイヤレスパケットデータサービスネットワークに関する。限定するものではないが、より具体的には、本開示は、ワイヤレス手段を介して移動通信デバイスの端末プロファイルを更新するための方法およびシステムを採用する、移動通信デバイスおよび関連データサービスネットワークを対象にする。
【背景技術】
【０００２】
本開示は、移動通信デバイスの端末プロファイルの管理を対象にする。移動通信デバイス用の端末プロファイルは、もしあるとすれば、移動通信デバイスが実行することができるかまたは実行を許可される動作を定義する。あるワイヤレスシステムプロトコルに従って、端末プロファイルは、加入者識別モジュールが初期化されている際に、そのモジュールに提供される。端末プロファイルをガイドとして使用することで、加入者識別モジュールは、実行することができないか、または実行を許可されていない命令を、移動通信デバイスに送信するのを防止することができる。
【発明の概要】
【課題を解決するための手段】
【０００３】
第１の側面によると、本開示は、移動通信デバイスの端末プロファイルを維持する方法に関する。方法は、ネットワークノードからワイヤレスデータ経路を介して、端末プロファイル修正命令を受信するステップと、ネットワークノードからワイヤレスデータ経路を介して受信される端末プロファイル修正命令に従って、移動通信デバイス内で端末プロファイルを修正するステップと、端末プロファイルを加入者識別モジュールに伝達するステップとを含む。
【０００４】
ある実施形態では、端末プロファイルを加入者識別モジュール（ＳＩＭ：Ｓｕｂｓｃｒｉｂｅｒ  Ｉｄｅｎｔｉｔｙ  Ｍｏｄｕｌｅ）または着脱交換可能ユーザ識別モジュール（ＲＵＩＭ：Ｒｅｍｏｖａｂｌｅ  Ｕｓｅｒ  Ｉｄｅｎｔｉｔｙ  Ｍｏｄｕｌｅ）に伝達する。端末プロファイルはＳＩＭ／ＲＵＩＭインターフェースにより管理され得る。ワイヤレスデータ経路はメッセージ中継部またはワイヤレスゲートウェイを通過し得る。ワイヤレスデータ経路は仮想プライベートネットワークであり得る。方法は許可された命令を実行するステップをさらに含み得る。
【０００５】
第２の側面によると、本開示は移動通信デバイスに関する。デバイスは、ネットワークノードからワイヤレスデータ経路を介して、端末プロファイル修正命令を受信するための手段と、ネットワークノードからワイヤレスデータ経路を介して受信される端末プロファイル修正命令に従って、移動通信デバイス内で端末プロファイルを修正するための手段と、端末プロファイルを加入者識別モジュール（ＳＩＭ）および着脱交換可能ユーザ識別モジュール（ＲＵＩＭ）のうちの１つ以上に伝達するための手段とを含む。
【図面の簡単な説明】
【０００６】
付随する図表と合わせて、続く発明を実施するための形態を参照することにより、本開示の実施形態をより完全に理解することができる。
【図１】図１は、本開示の実施形態を実施し得るワイヤレスパケットデータサービスネットワークを含む、例示的ネットワーク環境を示す。
【図２】図２は、一実施形態に従う、移動通信デバイスのソフトウェアアーキテクチャ図を示す。
【図３】図３は、一実施形態に従う、移動通信デバイスのブロック図を示す。
【図４】図４は、移動通信デバイス、第１のワイヤレスネットワーク、および第２のワイヤレスネットワークの間のメッセージのフローを示す、メッセージフロー図を示す。
【図５】図５は、一実施形態に従って、ネットワークノード内で端末プロファイルを更新し管理するプロセスを示す、フローチャートを示す。
【図６】図６は、一実施形態に従って、移動通信デバイス内で端末プロファイルを管理するプロセスを示すフローチャートを示す。
【発明を実施するための形態】
【０００７】
本開示のシステムおよび方法が、実施形態を成し使用する最善な方法の様々な実施例を参照して説明される。同一または対応する部分を示すため、説明および幾つかの図面を通じて、同一の参照番号が使用され、様々な要素は必ずしも正確な縮尺で描かれる必要はない。
【０００８】
次に、図面、より具体的には図１を参照すると、そこには本システムの実施形態が実施され得るワイヤレスパケットデータサービスネットワーク１１２を含む例示的ネットワーク環境１００が図示されている。パケット交換ネットワークであり得る企業ネットワーク１０２は、１箇所以上の地理的サイトを含むことが可能で、複数の法人ユーザにサービスを供給するために、ローカルエリアネットワーク（ＬＡＮ：Ｌｏｃａｌ  Ａｒｅａ  Ｎｅｔｗｏｒｋ）、広域ネットワーク（ＷＡＮ：Ｗｉｄｅ  Ａｒｅａ  Ｎｅｔｗｏｒｋ）、またはメトロポリタンエリアネットワーク（ＭＡＮ：Ｍｅｔｒｏｐｏｌｉｔａｎ  Ａｒｅａ  Ｎｅｔｗｏｒｋ）等、多くの無線アクセス技術（ＲＡＴｓ：Ｒａｄｉｏ  Ａｃｃｅｓｓ  Ｔｅｃｈｎｏｌｏｇｉｅｓ）のネットワーク上に構成され得る。
【０００９】
企業ネットワーク１０２の一部として配置されるいくつかのアプリケーションサーバ１０４−１から１０４−Ｎは、電子メール、動画メール、インターネットアクセス、企業データアクセス、メッセージング、カレンダー管理、スケジュール管理、および情報管理等、内部ならびに外部サービスのホストを提供または有効化するように動作可能である。
【００１０】
企業ネットワーク１０２に接続される、単一のデスクトップコンピュータ１２０が示されているが、図１に具体的には示されていないものの、限定するものではないが、デスクトップコンピュータやノート型コンピュータ、パームトップコンピュータ等を含む、種々のデバイスが、企業ネットワーク１０２内でサポートされるサービスに関して、アプリケーションサーバ１０４−ｉ（ｉ＝１、２〜Ｎ）のうちの１つ以上と動作可能にネットワーク化され得ることを当業者は理解するであろう。
【００１１】
加えて、企業ユーザが移動通信デバイス１１６を使用して、遠隔地からサービスのうちのいずれかにアクセスするか、またはアクセスを有効化できるように、遠隔サービスサーバ１０６を企業ネットワーク１０２とインターフェース接続し得る。例として、移動通信デバイス１１６は、メッセージの送受信、ウェブの閲覧、企業アプリケーションサーバとのインターフェース接続等が可能であるデータを扱うことが可能な携帯用デバイスであり得る。外部ＩＰネットワーク、すなわち、インターネット１０８のような公共のパケット交換ネットワークや、基地局（ＢＳ：Ｂａｓｅ  Ｓｔａｔｉｏｎ）１１４を含む、適したワイヤレスネットワークインフラストラクチャを経由して、移動通信デバイス１１６と動作可能であるワイヤレスパケットデータサービスネットワーク１１２を介して媒介される、エンドツーエンドの暗号化による安全な通信リンクが確立され得る。
【００１２】
単一デスクトップコンピュータ１２２は、説明のために、インターネット１０８に接続されるように示されている。当業者は、企業ネットワーク１０２に関して上記で議論した通り、実際には何百万ものデバイスがインターネット１０８に接続していることを理解するであろう。これらには、限定するものではないが、デスクトップコンピュータ、ノート型パソコン、パームトップコンピュータ、携帯電話、個人用デジタル補助装置、およびその他移動通信デバイスを含む。一実施形態では、信頼のおける中継ネットワーク１１０を、インターネット１０８と、ワイヤレスパケットデータサービスネットワーク１１２のインフラとの間に配置し得る。
【００１３】
本開示のために、ワイヤレスパケットデータサービスネットワーク１１２は、いずれかの既知の、または従来未知であった移動通信技術およびネットワークプロトコルにおいて実装され得る。例えば、ワイヤレスパケットデータサービスネットワーク１１２は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースの通信事業者ネットワークの携帯電話インフラストラクチャを使用して、パケット無線アクセスを移動体デバイスに提供する、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークを含み得る。その他の実装においては、ワイヤレスパケットデータサービスネットワーク１１２は、ＧＳＭ進化型高速データレート（ＥＤＧＥ：Ｅｎｈａｎｃｅｄ  Ｄａｔａ  Ｒａｔｅｓ  ｆｏｒ  ＧＳＭ  Ｅｖｏｌｕｔｉｏｎ）ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、符号分割多重接続（ＣＤＭＡ：Ｃｏｄｅ  Ｄｉｖｉｓｉｏｎ  Ｍｕｌｔｉｐｌｅ  Ａｃｃｅｓｓ）ネットワーク、または任意の第三世代（３Ｇ：３ｒｄ  Ｇｅｎｅｒａｔｉｏｎ）ネットワークを備え得る。例示的実施形態を提供する手段として、本開示の教示では、ＧＰＲＳベースの通信事業者ネットワークとして図示されるであろうが、当業者には本開示の範囲がそれによって限定されないことを容易に理解されたい。
【００１４】
図２は、一実施形態に従う、移動通信デバイス１１６のソフトウェアアーキテクチャ図を示す。多層トランスポートスタック（ＴＳ：Ｔｒａｎｓｐｏｒｔ  Ｓｔａｃｋ）２０６は、信頼性の高い安全でシームレスな持続的接続を介して、ワイヤレスパケットデータサービスネットワークへ、電子メールを含む任意のタイプの企業または個人データのために、一般的なデータトランスポートプロトコルを提供するように動作することができる。本実施形態で図示する通り、統合層２０４Ａは、移動通信デバイス１１６の無線層２０２とトランスポートスタック２０６との間でインターフェースとして動作可能である。同様に、別の統合層２０４Ｂは、トランスポートスタック２０６と、電子メール２１０、カレンダー／スケジューラ２１２、連絡先管理２１４、およびブラウザ２１６等の、移動通信デバイス１１６でサポートされるユーザアプリケーション２０８との間をインターフェース接続するために提供される。具体的に示されていないものの、トランスポートスタック２０６もまた、移動通信デバイス１１６のオペレーティングシステムとインターフェース接続され得る。別の実装において、トランスポートスタック２０６は、移動体デバイス上でホストに依存しない仮想マシンとして動作可能なデータ通信クライアントモジュールの一部として提供され得る。端末プロファイル管理モジュール２１８は、以下でさらに詳細に説明される通り、移動通信デバイス１１６用の端末プロファイル維持を容易にするために、トランスポートスタックへ動作可能に接続される。
【００１５】
トランスポートスタック２０６の最下層（層１）は、ワイヤレスネットワークのパケット層へのインターフェースとして動作することができる。層１は、図１に示す例示的ネットワーク環境１００内で、基本的なサービス調整を処理する。最上層（層４）は、様々なアプリケーションインターフェースを、移動通信デバイス上でサポートされるサービスに提供する。トランスポートスタック２０６の残り２層、層２および層３はそれぞれ、データグラム分割／再構築、および安全性、圧縮、ルーティングを担当している。無線層２０２は、複数の移動通信技術またはＲＡＴ（限定するものではないが、ＧＰＲＳ、ＥＶＤＯ、ＵＭＴＳ、ＨＳＤＰＡ，Ｗｉ−Ｆｉ，Ｂｌｕｅｔｏｏｔｈ、およびＷｉＭＡＸを含み得る）のうちの幾つであり得る。
【００１６】
図３は、一実施形態に従う、移動通信デバイスのブロック図を図示する。移動通信デバイス１１６の実施形態は、図３に示すものと類似する構成を含み得るが、図示する様々なモジュールに関して、ハードウェア、ソフトウェア、またはファームウェア内で、いくつかの変形例および修正例があり得ることは、本願を参照の上、当業者に理解されるであろう。従って、図３の構成は、本開示の実施形態に関する限定ではなく、例示として見なされるものとする。
【００１７】
移動通信デバイス１１６の実施形態全体を制御するマイクロプロセッサ３０２は、受信機３０８および送信機３１４だけでなく、１つ以上の局部発振器（ＬＯ：Ｌｏｃａｌ  Ｏｓｃｉｌｌａｔｏｒ）モジュール３１０等の関連構成要素、およびデジタル信号プロセッサ３１２等の処理モジュールをも含む、通信サブシステム３０４に動作可能に連結される。当業者は、マイクロプロセッサ３０２によって示される機能性が、その他の構成要素に呼応して作動する、複数のマイクロプロセッサまたは単一のマイクロプロセッサを含む場合もある、複数の分かれた構成要素によって遂行され得ることを理解するであろう。通信分野の当業者にとって明らかであるように、通信モジュール３０４の特定の設計は、移動通信デバイス１１６が動作することを意図とする、通信ネットワークに依存し得る。
【００１８】
一実施形態では、通信モジュール３０４は、音声通信およびデータ通信の両方で作動可能である。しかしながら、特定の設計にもかかわらず、アンテナ３０６によって受信される基地局１１４からの信号は、信号増幅、周波数ダウンコンバージョン、フィルタリング、チャネル選択、アナログデジタル（Ａ／Ｄ：Ａｎａｌｏｇ−ｔｏ−Ｄｉｇｉｔａｌ）変換等の共通受信機機能を遂行し得る受信機３０８へ提供される。同様に、伝送される信号は、例えば、デジタル信号プロセッサ３１２によって変調および符号化を含む処理がなされ、デジタルアナログ（Ｄ／Ａ：Ｄｉｇｉｔａｌ−Ａｎａｌｏｇ）変換、周波数アップコンバージョン、フィルタリング、増幅、およびアンテナ３１６を介する空中無線インターフェースによる伝送のために送信機３１４へ提供される。
【００１９】
マイクロプロセッサ３０２はまた、補助入出力（Ｉ／Ｏ：Ｉｎｐｕｔ／Ｏｕｔｐｕｔ）３１８、シリアルポート３２０、ディスプレイ３２２、キーボード３２４、スピーカー３２６、マイクロホン３２８、ランダムアクセスメモリ（ＲＡＭ：Ｒａｎｄｏｍ  Ａｃｃｅｓｓ  Ｍｅｍｏｒｙ）３３０、短距離通信サブシステムまたはサブシステム３３２、および概して参照番号３３４と名付けられる任意のその他デバイスサブシステム等のさらなるデバイスサブシステムとインターフェース接続される。加入者識別モジュール（ＳＩＭ）または着脱交換可能ユーザ識別モジュール（ＲＵＩＭ）インターフェース３３６もまた、マイクロプロセッサ３０２との通信において提供される。
【００２０】
１つの実装において、ＳＩＭ／ＲＵＩＭインターフェース３３６は、デバイス用の端末プロファイル、端末識別データ、および加入者関連データ等、多くの構成３４４およびその他情報３４６を記憶する、ＳＩＭ／ＲＵＩＭカード３４２と共に作動可能である。オペレーティングシステムソフトウェアおよびトランスポートスタックソフトウェアは、フラッシュメモリ３３８等の永続的記憶モジュール（すなわち、不揮発性記憶装置）内に統合され得る。１つの実装において、フラッシュメモリ３３８は、例えば、コンピュータプログラム３４０用のデータ領域のほかに、デバイス状態３４８、住所録３５０、その他個人情報管理（ＰＩＭ：Ｐｅｒｓｏｎａｌ  Ｉｎｆｏｒｍａｔｉｏｎ  Ｍａｎａｇｅｒ）データ３５２等のデータ記憶領域、および概して参照番号３５４と名付けられるその他データ記憶領域といった、異なる領域に分離され得る。ステータス更新モジュール２２０を含む、端末プロファイルモジュール２１８は、トランスポートスタック２０６を含むフラッシュメモリ３３８に動作可能に接続する。上記で述べ、下記で更に詳細に説明する通り、端末プロファイルモジュール２１８は、概してワイヤレス通信経路を介して、必要に応じてその他デバイスと通信するように作動可能である。
【００２１】
端末プロファイルデータセットは、ＳＩＭ／ＲＵＩＭ３４２に、移動通信デバイス１１６の動作能力に関する情報を提供する。端末プロファイルは、例えば、ブラウザの立ち上げ、呼制御、ショートメッセージシステム（ＳＭＳ：Ｓｈｏｒｔ  Ｍｅｓｓａｇｅ  Ｓｙｓｔｅｍ）制御、呼設定、付加サービス、ＳＭＳメッセージング、位置情報の転送に関連する機能を制御し得る。移動通信デバイス１１６の動作能力に関する情報が与えられると、ＳＩＭ／ＲＵＩＭ３４２は、移動通信デバイス１１６に送信された命令のセットを限定し、それによって移動通信デバイス１１６が動作上実行できないか、または実行する権限がない命令を、ＳＩＭ／ＲＵＩＭ３４２が移動通信デバイス１１６に送信する状況を防止することができる。端末プロファイルデータセットの適切なフォーマットおよび構文は、３ＧＰＰ  ＴＳ３１．１１１に規定されている。端末プロファイルデータセットはバイトの連なりであり、各バイト内の各ビットは、特定の動作能力が移動通信デバイス１１６によってサポートされているか否かを示すフラッグとして機能する。「１」（高）に設定されるビットは、移動通信デバイス１１６によってサポートされるファシリティを表し、一方「０」（低）に設定されるビットは、移動通信デバイス１１６によってサポートされないファシリティを表す。
【００２２】
端末プロファイルデータセットは、ある移動体デバイスでハードコード化され得るが、移動通信デバイス１１６は、更新されることを可能とするために、修正可能な端末プロファイルデータセットを組み込む。データセットの更新は、顧客要求との一致を維持するために、ワイヤレス接続を介して、遠隔で遂行され得る。あるＳＩＭ関連動作は、ある顧客にとって望ましくないとみなされる場合がある。例えば、ダイヤルされる電話番号を修正する能力、または移動通信デバイス１１６の位置を問い合わせて報告する能力は、ある環境では安全性に対するリスクを生じ得る。
【００２３】
移動通信デバイス１１６の端末プロファイルを更新するプロセスを、図４に図示する。図４に示すプロセスは、例示的プロセスとして提示されるが、当業者は様々なプロセスおよび変形例を、本目的のために採用し得ることを理解するであろう。図４に示すプロセスの詳細は、実施例の手段として提示され、限定の意味で解釈されることは意図していない。図４に図示するプロセスは、遠隔サービスサーバ１０６からインターネット１０８への端末プロファイル更新命令４００で始まり、命令はメッセージ４０２として基地局１１４へ転送される。基地局１１４は、命令をメッセージ４０４として、移動通信デバイス１１６へ転送する。このメッセージがトランスポートスタック２０６に到着し、メッセージ４０６として端末プロファイルモジュール２１８へ転送される。命令は、メッセージ４０８をＳＩＭ／ＲＵＩＭインターフェース３３６へ送信する、端末プロファイルモジュール２１８によって処理され、メッセージ４０８は、メッセージ４１０としてＳＩＭ／ＲＵＩＭカード３４２の構成記憶装置３４４へ転送される。当業者は、端末プロファイルを修正する命令の実行が、命令を受信されたときより著しく後に行われてもよいことを理解するであろう。ある用途において、端末プロファイルは、ある離散した時点で、ある特定の状況下においてのみ修正され得る。図４に示す実施形態では、肯定応答メッセージ４１２は、ＳＩＭ／ＲＵＩＭカード３４２からＳＩＭ／ＲＵＩＭインターフェース３３６へ送信され、メッセージ４１４として端末プロファイルモジュール２１８へ、メッセージ４１６としてトランスポートスタック２０６へ、その後、メッセージ４１８として基地局１１４へ、メッセージ４２０としてインターネット１０８へ、そしてメッセージ４２２として遠隔サービスサーバ１０６へ転送される。
【００２４】
それより後の時点で、移動通信デバイス１１６は基地局１２４と通信する。命令４２４が、基地局１２４から移動通信デバイス１１６へ送信される。メッセージ４２４はトランスポートスタック２０６で受信され、メッセージ４２６としてＳＩＭ／ＲＵＩＭインターフェース３３６へ転送され、その後メッセージ４２６はメッセージ４２８としてＳＩＭ／ＲＵＩＭカード３４２へ転送される。基地局１２４から受信された命令を受け取るとすぐに、ＳＩＭ／ＲＵＩＭ３４２は、移動通信デバイス１１６用の端末プロファイルに反する命令を確認する。この場合、命令は端末プロファイルの下で許可され、その命令はメッセージ４３０および４３２が示すように、トランスポートスタック２０６へ転送される。命令の実行後、肯定応答メッセージはメッセージ４３４が示すように、基地局１２４に送り返され得る。上に述べた通り、当業者は、図４に提示される詳細が、特定の状況下における一例示的実施形態の詳細を示すことを理解するであろう。異なる実装は、様々な用途に適するように、異なる詳細、特徴、機構を含み得る。例として、移動通信デバイス１１６のコマンドは、基地局１２４からの外部通信なしに、内部のＳＩＭ／ＲＵＩＭ３４２から始めることもできる。
【００２５】
やがてメッセージ４２４〜４３４が示す通信の後に、第２の命令が基地局１２４から送信される。この命令は、メッセージ４３６〜４４０が示す通り、トランスポートスタック２０６からＳＩＭ／ＲＵＩＭインターフェース３３６へ、そこからＳＩＭ／ＲＵＩＭ３４２へ転送される。事前に受信された命令とは対照的に、メッセージ４３６〜４４０が示す命令は、端末プロファイルの下で許可された命令ではない。端末プロファイルを再確認するとすぐに、ＳＩＭ／ＲＵＩＭ３４２は、命令が移動通信デバイス１１６に対して許可されていないと判断し、そのためＳＩＭ／ＲＵＩＭ３４２は命令を転送しない。上記の通り、この第２のコマンドは代わりに、基地局１２４からの外部通信なしに、内部のＳＩＭ／ＲＵＩＭ３４２から始め得る。これは全て本開示の精神および範囲内である。
【００２６】
図５は、フローチャートの形態で、端末プロファイルを維持するプロセスを示す図である。プロセスフローは、ネットワークノードと移動通信デバイスとの間で通信を開始するブロック５００から始まり、その後プロセスフローは決定ブロック５０２に進む。決定ブロック５０２では、移動通信デバイスの端末プロファイル更新が必要か否かの判定がなされる。端末プロファイルの更新が不要な場合、プロセスフローは以下で議論されるブロック５０８へ進む。端末プロファイルの更新が必要な場合には、プロセスフローはブロック５０４へ進み、ブロック５０４では端末プロファイルの更新が移動通信デバイスへ送信され、それからブロック５０６へ進む。ブロック５０６では、更新の肯定応答が受信され、それからブロック５０８へ進む。
【００２７】
決定ブロック５０８以降のプロセスフローは、移動通信デバイス１１６が初期化されるか否かによる。デバイスをこの時点で初期化すべきでない場合、プロセスフローはブロック５１６へ進む。移動通信デバイス１１６を初期化すべきである場合、プロセスフローはブロック５１０へ進む。ブロック５１０では、デバイスが初期化され、プロセスフローはブロック５１２へ進む。ブロック５１２では、ＳＩＭ／ＲＵＩＭカード３４２は、ＳＩＭサービス表における端末プロファイルに対するサポートを示す。ブロック５１４では、端末プロファイルを受信する。
【００２８】
ブロック５１６では、ＳＩＭ／ＲＵＩＭカード３４２は、移動通信デバイス１１６に対する命令を受け取る。移動通信デバイス１１６が実行不可能であるか、または実行することを許可されていない命令を、移動通信デバイス１１６へ送信することを防止するために、命令が移動通信デバイス１１６用の端末プロファイルの範囲内であるか、ブロック５１８で問い合わせがなされる。命令が端末プロファイルの範囲内ではない場合、命令は送信されず、プロセスフローはブロック５０２に戻る。命令が端末プロファイルの範囲内である場合、命令はブロック５２０で移動通信デバイス１１６に送信され、ブロック５２２で肯定応答を受信し、それからプロセスフローはブロック５０２へ戻る。
【００２９】
図６は、移動通信デバイス内で実行されるような、図５のプロセスを図示するフローチャートである。プロセスフローは、移動通信デバイス１１６とネットワークノードとの間で通信が開始されるブロック６００から始まり、その後プロセスフローは決定ブロック６０２へ進む。決定ブロック６０２以降のプロセスフローは、端末プロファイル更新命令がネットワークノードから送信されているか否かによる。端末プロファイル更新命令が送信されていない場合、それからプロセスフローは、以下に説明するブロック６１０にまで下がっていく。端末プロファイル更新命令が送信されている場合、プロセスフローは、端末プロファイル更新が受信されるブロック６０４へ進み、端末プロファイルが更新されるブロック６０６へ進み、それから肯定応答がネットワークノードへ送り返されるブロック６０８へ進む。その後プロセスフローはブロック６１０へ進む。
【００３０】
ブロック６１０以降のプロセスフローは、移動通信デバイス１１６が初期化されるべきか否かによる。移動通信デバイス１１６を初期化すべきではない場合、プロセスフローは以下で説明されるブロック６１８へ進む。移動通信デバイス１１６を初期化すべきである場合、プロセスフローはブロック６１２へ進み、デバイスを初期化する。ブロック６１４では、移動通信デバイス１１６は、ＳＩＭ／ＲＵＩＭカード３４２から端末プロファイルデータに対する要求を受信する。ブロック６１６では、移動通信デバイス１１６は、移動通信デバイス１１６用の要求された端末プロファイルデータを送信し、プロセスフローはブロック６１８に進む。
【００３１】
ブロック６１８では、ＳＩＭ／ＲＵＩＭ３４２は、移動通信デバイス１１６に対する要求を受信し、プロセスフローはブロック６２０へ進む。ブロック６２０以降のプロセスフローは、受信された命令が許可されるか否かによる。命令が許可されない場合、プロセスフローはブロック６０２に戻る。命令が許可される場合、プロセスフローはブロック６２２へ進む。ブロック６２２では、命令が実行される。ブロック６２４では、肯定応答が送信され、その後プロセスフローは決定ブロック６０２へ戻る。
【００３２】
本開示の実施形態の操作および構成は、上記発明を実施するための形態から明らかであろうと考えられる。示し説明した例示的実施形態は好ましいように特徴付けられている場合がある一方で、以下の請求項に記載される本開示の範囲から逸脱しない限りにおいて、様々な変更および修正が本願でなされ得ることは容易に理解されたい。
【図１】
2011503935.tif 000003
【図２】
2011503935.tif 000004
【図３】
2011503935.tif 000005
【図４】
2011503935.tif 000006
【図５】
2011503935.tif 000007
【図６】
2011503935.tif 000008
【国際調査報告】
2011503935.tif 000009
2011503935.tif 000010
2011503935.tif 000011